(57)【特許請求の範囲】
【請求項１】
遊技板の前面に設けられるエレクトロルミネッセンスプレートの電極と遊技板の裏面側に配置される電気ユニットからのフラットケーブルの電極とを接続し、電気ユニットの駆動によってエレクトロルミネッセンスプレートの表示領域を発光させる遊技機の発光装置における配線接続装置であって、遊技板の周縁の一部には遊技板とエレクトロルミネッセンスプレートの電極との間にフラットケーブルの挿入し得る空間を形成する凹状のスペーサが配置され、フラットケーブルの絶縁被覆から露出された電極がエレクトロルミネッセンスプレートの電極の側に向けられ、フラットケーブルの先端が遊技板の周縁の外側から上記空間に挿入されて、フラットケーブルの電極とエレクトロルミネッセンスプレートの電極とが互いに上下方向で重なり合って接触し、接続固定手段がエレクトロルミネッセンスプレートの上から遊技板に釘で固定されてフラットケーブルの電極とエレクトロルミネッセンスプレートの電極との接続を固定したことを特徴とする遊技機の発光装置における配線接続装置。
【請求項２】
接続固定手段が、エレクトロルミネッセンスプレートの上に配置される本体と、エレクトロルミネッセンスプレートをフラットケーブルの側に押し付けるために本体に設けられた弾性部材から成る押圧部とを備えたことを特徴とする請求項１記載の遊技機の発光装置における配線接続装置。
【請求項３】
接続固定手段が、エレクトロルミネッセンスプレートの上に配置される本体と、遊技板の裏側から空間に向けて延びるフラットケーブルを被覆して保護するために本体から遊技板の側に延びたケーブル保護部とを備えたことを特徴とする請求項１記載の遊技機の発光装置における配線接続装置。
【請求項４】
遊技板の周縁の一部の凹状のスペーサと対応する部分には遊技板の裏側から空間に向けて延びるフラットケーブルを収容する切欠部が設けられたことを特徴とする請求項１記載の遊技機の発光装置における配線接続装置。
【発明の詳細な説明】
【０００１】
【産業上の利用分野】
本発明は、遊技板に設けられたエレクトロルミネッセンスの電極と電気ユニットからのフラットケーブルの電極とが半田付けを用いることなく容易に接続できる遊技機の発光装置における配線接続装置に関する。
【０００２】
【従来の技術】
遊技機では、例えば実開平４−５００９２号公報に開示されたように、遊技板の前面にエレクトロルミネッセンスプレートを設け、電気ユニットからエレクトロルミネッセンスプレートの透明電極および背面電極に電力を制御しつつ供給することによって、エレクトロルミネッセンスプレートの表示領域が所定色に発光するようにした発光装置が知られている。
【０００３】
【発明が解決しようとする課題】
上記発光装置を備えた遊技機を製造する場合には、大まかには、ベニヤのような遊技板の前面にエレクトロルミネッセンスプレートを取り付ける一方、遊技板の裏面に電気ユニットを取り付け、電気ユニットおよびエレクトロルミネッセンスプレート間にフラットケーブルを配線する必要がある。この場合、フラットケーブルの一端に設けられた端子部をエレクトロルミネッセンスプレートの周縁に設けられた端子部に予め半田付け等で接続しておき、フラットケーブルの他端に設けられた端子部を後工程で遊技板の裏面に取り付けられた電気ユニットの端子部に接続することが考えられるが、フラットケーブルの他端に設けられた端子部を電気ユニットの端子部に接続するまでの製造工程において、フラットケーブルが遊技板よりぶら下がるように突出して作業の邪魔になる。また、エレクトロルミネッセンスパネルおよび電気ユニットが遊技板に取り付けられた後工程で、フラットケーブルの他端の端子部を電気ユニットの端子部に取り付ける一方、フラットケーブルの一端の端子部をエレクトロルミネッセンスプレートの端子部に半田付け等で接続することが考えられるが、エレクトロルミネッセンスプレートが遊技板に取り付けられた状態においては、エレクトロルミネッセンスプレートの端子部の周囲には半田付けに必要な作業空間を設けることが遊技機の構造より無理であるため、エレクトロルミネッセンスプレートの端子部にフラットケーブルの端子部を半田付けするのは極めて困難である。結果として、前者および後者の場合のように、エレクトロルミネッセンスプレートの端子部にフラットケーブルの端子部を半田付けで接続することは、にわかに採用しがたいものである。
【０００４】
【課題を解決するための手段】
本発明に係る遊技機の発光装置は、遊技板の前面に設けられるエレクトロルミネッセンスプレートの電極と遊技板の裏面側に配置される電気ユニットからのフラットケーブルの電極とを接続し、電気ユニットの駆動によってエレクトロルミネッセンスプレートの表示領域を発光させる遊技機の発光装置における配線接続装置であって、遊技板の周縁の一部には遊技板とエレクトロルミネッセンスプレートの電極との間にフラットケーブルの挿入し得る空間を形成する凹状のスペーサが配置され、フラットケーブルの絶縁被覆から露出された電極がエレクトロルミネッセンスプレートの電極の側に向けられ、フラットケーブルの先端が遊技板の周縁の外側から上記空間に挿入されて、フラットケーブルの電極とエレクトロルミネッセンスプレートの電極とが互いに上下方向で重なり合って接触し、接続固定手段がエレクトロルミネッセンスプレートの上から遊技板に釘で固定されてフラットケーブルの電極とエレクトロルミネッセンスプレートの電極との接続を固定したことを特徴とする。接続固定手段が、エレクトロルミネッセンスプレートの上に配置される本体と、エレクトロルミネッセンスプレートをフラットケーブルの側に押し付けるために本体に設けられた弾性部材から成る押圧部とを備えたり、または、接続固定手段が、エレクトロルミネッセンスプレートの上に配置される本体と、遊技板の裏側から空間に向けて延びるフラットケーブルを被覆して保護するために本体から遊技板の側に延びたケーブル保護部とを備えたり、または、遊技板の周縁の一部の凹状のスペーサと対応する部分には遊技板の裏側から空間に向けて延びるフラットケーブルを収容する切欠部が設けられたりしてもよい。
【０００５】
【作用】
本発明に係る遊技機の発光装置は、フラットケーブルが遊技板の周縁の外側から空間に挿入されることによって、フラットケーブルの電極とエレクトロルミネッセンスプレートの電極とが互いに上下方向で重なり合って接触した状態において、接続固定手段がエレクトロルミネッセンスプレートの上から遊技板に釘で固定されてフラットケーブルの電極とエレクトロルミネッセンスプレートの電極との接続を固定する。接続固定手段が、エレクトロルミネッセンスプレートの上に配置される本体と、エレクトロルミネッセンスプレートをフラットケーブルの側に押し付けるために本体に設けられた弾性部材から成る押圧部とを備えれば、押圧部がエレクトロルミネッセンスプレートを上からフラットケーブルの側に弾性的に押し付ける。接続固定手段が、エレクトロルミネッセンスプレートの上に配置される本体と、遊技板の裏側から空間に向けて延びるフラットケーブルを被覆して保護するために本体から遊技板の側に延びたケーブル保護部とを備えれば、遊技板の裏側から空間に向けて延びるフラットケーブルを被覆して保護する。遊技板の周縁の一部の凹状のスペーサと対応する部分には遊技板の裏側から空間に向けて延びるフラットケーブルを収容する切欠部が設けられれば、遊技板の裏側から空間に向けて延びるフラットケーブルが遊技板よりも外側に突出しない。
【０００６】
【実施例】
図１乃至図８は、第１実施例である。図１は、配線接続装置１２を分解して示す。図２は、スペーサ手段１１を分解して示す。図３は、配線接続装置１２を図１に示すＡ−Ａ線に沿い切断した断面を示す。図４は、配線接続装置１２を図１に示すＢ−Ｂ線に沿い切断した断面を示す。図５は、電極４１ａ乃至４１ｅと電極４５ａ乃至４５ｅが配線接続装置１２で固定された断面を示す。図６は、パチンコ機を示す。図７は、遊技板１に付けられたエレクトロルミネッセンスプレート７の断面を示す。図８は、エレクトロルミネッセンスプレート７と電気ユニット１１０との接続を示す。
【０００７】
図６を参照し、パチンコ機について説明する。パチンコ機はパチンコ店の島に設置される枠体７３を備える。枠体７３の前面には、図示しない前枠が、図示しないヒンジ手段を介して開閉自在に設置される。前枠の内周縁には、ガラス蓋７３ａが、金枠、及びガラス枠を介して装着される。ガラス蓋７３ａより内側の枠体７３には、図７に示す遊技板１が設けられる。遊技板１の表面には、エレクトロルミネッセンスプレート７が重ね合わせに装着される。エレクトロルミネッセンスプレート７の表面の所定位置には、遊技球（図示せず）の通路を形成する複数の釘７５、ランプ風車７７、小風車７９、始動入賞口８１、遊技球の通過によるスイッチ入力で表示変更を行う役物（液晶カラーパネル）８３、役物８３の表示状態が大あたりのとき開く可変入賞球装置（アタッカ）８５、複数の表示領域８６ａ；８６ｂ；８６ｃ；８６ｄ；８６ｅ；８６ｆが設けられる。枠体７３の前面には、所定数の遊技球を収容する上皿セット１０３、出玉である遊技球を収容する下皿セット１０５、上皿セット１０３内の遊技球を弾く発射装置を駆動するためのハンドルグリップ１０７が、ガラス蓋７３ａよりも下方に装着される。
【０００８】
遊技者がハンドルグリップ１０７を一方向に回転操作すると、上皿セット１０３内の遊技球が、発射装置の駆動により順次弾かれてエレクトロルミネッセンスプレート７の表面側に形成されるバンド内へ飛び、遊技球の推力と重力の関係で、釘７５間の通路を通り、あるものは始動入賞口８１等へ入り、あるものはアウト口１０９へ入る。遊技球が始動入賞口８１へ入った場合、表示領域８６ａ乃至８６ｆが電気ユニット１１０の駆動により発光し、出玉としての所定数の遊技球が上皿セット１０３内へ供給され、役物８３の表示状態が変わる。役物８３の表示状態が大あたりになると、表示領域８６ａ，８６ｂ，８６ｃ，８６ｄ，８６ｅ，８６ｆが電気ユニット１１０の駆動により発光し、可変入賞球装置８５が開き、遊技球が入り易くなり、出玉としての遊技球が多く出易くなる。
【０００９】
図７を参照し、エレクトロルミネッセンスプレート７の構造について説明する。遊技板１の表面には、ケント紙８９が接着剤８７で貼り付けられる。ケント紙８９の表面には、エレクトロルミネッセンスプレート７が接着剤９１で接着される。エレクトロルミネッセンスプレート７における図６の表示領域８６ａ乃至８６ｆに相当する部分では、背面電極９３、絶縁層９５、発光層９７、透明電極層９９、透明保護フィルム１０１が、接着剤９１の側からガラス蓋７３ａの側に順次積層される。発光層９７は、多色発光するようにパターニングされており、色鮮やかな図柄や種々の表示を行えるようになっている。  
【００１０】
図８を参照し、エレクトロルミネッセンスプレート７と電気ユニット１１０との接続について説明する。エレクトロルミネッセンスプレート７の周縁における裏面の一部（例えば底辺側における中央よりやや右側寄りの裏面の一部）には、電気ユニット１１０が、配線接続装置１２及びフラットケーブル４３によって接続される。電気ユニット１１０は、遊技板１の背面に設置され、制御ユニット１１１及び駆動ユニット１１３から構成される。制御ユニット１１１は、表示領域８６ａ乃至８６ｆに対する発光のための電力供給を制御する。駆動ユニット１１３は、制御ユニット１１１の制御結果としての指示にしたがって、表示領域８６ａ乃至８６ｆに駆動電力を供給する。
【００１１】
図１を参照し、配線接続装置１２の構造について説明する。遊技板１は、釘を止めることができる例えばベニヤ等のような素材で構成される。遊技板１の周縁の一部には、切欠部３が形成される。切欠部３は、遊技板１の裏側から空間１５に向けて延びるフラットケーブル４３を収容する部分である。遊技板１の表面のほぼ全面には、紙材としてケント紙５が接着剤で貼り付けられる。ケント紙５の周縁が遊技板１の周縁に一致されるように、ケント紙５が遊技板１に貼り付けられても良いが、本実施例では、ケント紙５の周縁が遊技板１の周縁に一致しないように遊技板１の内側にずらされている。その理由は、遊技板１の裏面から切欠部３を経由してケント紙５の側にまわり込んだフラットケーブル４３が遊技板１の端面から外側に突出しないで切欠部３に収容されるようにする、ためである。切欠部３よりも内側に位置するケント紙５上には、スペーサ手段１１が電極４１ａ乃至４１ｅが配線される位置に貼り付けられる。
【００１２】
ケント紙５には、目印３７が印されている。目印３７の位置は、電極４１ａ乃至４１ｅの位置を基準に決定される。紙材２９とスペーサ１３；２１とのりしろ３１；３３及びミシン目３５からなるスペーサ手段１１が、ケント紙５の上に配置される際、目印３７により位置決めされる。しかし、ケント紙５に対するスペーサ手段１１の位置が生産機械を用いて決められる場合、目印３７を設ける必要はない。スペーサ手段１１がケント紙５の上に配置される際、スペーサ１３の開放側の先端を切欠部３の縁に一致させると、付け根面２３が全て外部に露出されるから、スペーサ２１を紙材２９から分離する際、スペーサ１３の上に搭載されたエレクトロルミネッセンスプレート７が邪魔になることはない。スペーサ手段１１がケント紙５の上に配置された後、エレクトロルミネッセンスプレート７がスペーサ手段１１及びケント紙５の上に配置される。エレクトロルミネッセンスプレート７を配置する場合、エレクトロルミネッセンスプレート７に印された目印３９をスペーサ手段１１の左右の縁に一致させることにより、エレクトロルミネッセンスプレート７の位置が決められる。目印３９の位置は、電極４１ａ乃至４１ｅの位置を基準に決定される。しかし、遊技板１の周縁に対してエレクトロルミネッセンスプレート７の周縁の位置を機械的に決めることでも良い。
【００１３】
電極４１ａ乃至４１ｅは、エレクトロルミネッセンスプレート７の裏面に露出する構成である。表示領域８６ａ乃至８６ｆに対応して個別に設けられる背面電極９３（図７参照）、表示領域８６ａ乃至８６ｆの全部に共通となるように設けられる透明電極９９（図７参照）は、電極４１ａ乃至４１ｅに個別に接続されている。例えば、表示領域８６ａ；８６ｂにおける２個の背面電極９３が電極４１ａ；４１ｂに接続され、表示領域８６ｃ；８６ｄにおける２個の背面電極９３が１個の電極４１ｃに接続され、表示領域８６ｅ；８６ｆにおける２個の背面電極９３ｅ；９３ｆが１個の電極４１ｄに接続され、透明電極層９９が電極４１ｅに接続される。フラットケーブル４３は、電極４５ａ，４５ｂ，４５ｃ，４５ｄ，４５ｅを備える。電極４５ａ乃至４５ｅは、電極４１ａ乃至４１ｅに対応する数である。電極４５ａ乃至４５ｅの表面は、フラットケーブル４３の絶縁被覆が除去されて当該絶縁被覆から露出される。フラットケーブル４３が遊技板１の背面から切欠部３を経由してケント紙５の側に折り曲げられることによって、電極４５ａ乃至４５ｅが電極４１ａ乃至４１ｅと向き合うようになる。
【００１４】
接続固定手段４９は、電極４１ａ乃至４１ｅと電極４５ａ乃至４５ｅとの接触を固定するものであって、図３にも示すように、本体５１、押圧部５７、ケーブル保護部５９、ねじ止め部６３、ねじ釘６９を備える。本体５１は、押される力を十分にとれるように、四方を囲む壁面５３と底壁５５とを備える。底壁５５には、凹部５４が下方に開口し形状に設けられる。凹部５４には、押圧部５７が嵌め込まれる。押圧部５７がゴム等の弾性部材から成る。押圧部５７が凹部５４に嵌め込まれた場合、押圧部５７の下部が底壁５５から下方に突出する。押圧部５７の横幅は、スペーサ手段１１の横幅に対応するか、スペーサ１３における空間１５（図２参照）の横幅に対応するか、電極４１ａ乃至４１ｅの配列幅に対応していれば良い。ケーブル保護部５９は、本体５１における切欠部３の側から下方に延びる平板状であって、配線接続後のフラットケーブル４３を外部から保護するものである。よって、ケーブル保護部５９の横幅は、フラットケーブル４３の横幅よりも大きい横幅を有する。ケーブル保護部５９の縦幅は、遊技板１の肉厚と等しいか、若干大きい程度に設定される。
【００１５】
ねじ止め部６３は、本体５１の両脇から外方へ延びる平板状である。ねじ止め部６３の上面および本体５１の外面は、補強板６５で互いに繋がれる。が一体化されている。ねじ止め部６３には、ねじ孔６７が設けられる。ねじ孔６７には、ねじ釘６９のねじ部が挿入される。ねじ釘６９が、ねじ止め部６３の上方から、ねじ孔６７、エレクトロルミネッセンスプレート７、ケント紙５を順に経由して遊技板１に締結される。これによって、接続固定手段４９が、遊技板１に組み付けられ、電極４１ａ乃至４１ｅと電極４５ａ乃至４５ｅとの接続を固定する。図４に示すように、本体５１の下面およびねじ止め部６３の下面との間には、スペーサ手段１１の肉厚分に相当する段差６１が形成される。
【００１６】
図２を参照し、スペーサ手段１１の構造について説明する。スペーサ手段１１はコ字状のスペーサ１３、凸状のスペーサ２１、一体的保持手段（接着受け手段）としての紙材２９から構成されている。スペーサ１３の肉厚は、フラットケーブル４３の肉厚に対応する。スペーサ１３には、空間１５が、フラットケーブル４３の先端（端子側）の周囲を囲み得る凹部状の切欠部分として構成される。空間１５を形成する中央の一辺１７は、フラットケーブル４３の先端面の横幅の寸法に対応した幅を有する。空間１５を形成する左右の一辺１９ａ；１９ｂは、フラットケーブル４３の先端の電極部分の長さ寸法に対応した長さを有する。スペーサ１３は、紙材２９上の斜線で示すのりしろ３１に、接着剤または両面テープで貼り付けられる。スペーサ２１の肉厚は、スペーサ１３の肉厚、即ちフラットケーブル４３の肉厚に対応する。スペーサ２１は、作業者が摘み得る付け根面２３と、付け根面２３の側面から垂直に突出する突出面２５とから構成される。付け根面２３の横幅は、スペーサ１３の横幅に対応する。突出面２５の先端面の横幅の寸法は、空間１５における一辺１７の横幅の寸法に対応する。突出面２５の側面の長さは、空間１５における一辺１９ａ；１９ｂの長さに対応する。付け根面２３の裏面は、のりしろ３３に、接着剤または両面テープで接着される。
【００１７】
紙材２９は、スペーサ１３；２１を互いに組み合わせた分の面積を有し、スペーサ１３；２１がのりしろ３１；３３に取り付けられることによって、スペーサ１３；２１を保持する。ただし、突出面２５は、スペーサ２１を後に紙材２９から分離する関係から、エレクトロリミネッセンスプレート７及び紙材２９に接着されていない。紙材２９には、ミシン目３５が、のりしろ３３の境目に形成される。よって、のりしろ３３が引っ張られることによって、のりしろ３３がのりしろ３１の側の紙材２９から容易に切断される。ミシン目３５は、のりしろ３１における開放側の先端側を結ぶ線上に形成しても良い。ミシン目３５がのりしろ３１における開放側の先端側を結ぶ線上に形成されれば、のりしろ３３は付け根面２３の全体に対応する面積にまで広げられる。
【００１８】
図３乃至図５を参照し、遊技板１に設けられたエレクトロルミネッセンス７の電極４１ａ乃至４１ｅとフラットケーブル４３の電極４５ａ乃至４５ｅとを半田付けを用いることなく接続する方法について説明する。先ず、図３および図４に示すように、遊技板１の上には、ケント紙５が貼り付けられた後、スペーサ手段１１が目印３７に接着される。そして、エレクトロルミネッセンスプレート７がケント紙５及びスペーサ手段１１の上に接着される。その後、紙材２９のりしろ３３に結合したスペーサ２１が、矢印で示す外側に引っ張られ、ミシン目３５によって、紙材２９から切断され、ケント紙５とエレクトロルミネッセンスプレート７との間から引き抜かれる。これによって、ケント紙５とエレクトロルミネッセンスプレート７との間には、スペーサ１３による空間１５が構成される。
【００１９】
次に、図５に示すように、フラットケーブル４３の電極４５ａ乃至４５ｅが切欠部３の側から空間１５に挿入される。このように電極４１ａ乃至４１ｅと電極４５ａ乃至４５ｅを接続するために、フラットケーブル４３をケント紙５とエレクトロルミネッセンスプレート７との間に挿入する場合、スペーサ１３によって、切欠部３の側に開放された空間１５がフラットケーブル４３をケント紙５とエレクトロルミネッセンスプレート７との間に形成されているので、フラットケーブル４３をケント紙５とエレクトロルミネッセンスプレート７との間に挿入することができるうえ、電極４１ａ乃至４１ｅと電極４５ａ乃至４５ｅとが互いに上下方向で重なり合って適切に接触する。最後に、接続固定手段４９がエレクトロルミネッセンスプレート７の上から遊技板１にねじ釘６９で取り付けられる。それには、ケーブル保護部５９が切欠部３におけるフラットケーブル４３を保護するように外側からフラットケーブル４３にあてがわれ、ねじ止め部６３がエレクトロルミネッセンスプレート７の上に置かれる。そして、ねじ釘６９がねじ止め部６３の上方からねじ孔６７、エレクトロルミネッセンスプレート７、ケント紙５を順に経由して遊技板１に締結される。これによって、押圧部５７がエレクトロルミネッセンスプレート７を上からフラットケーブル４３の側に弾性的に押し付け、電極４１ａ乃至４１ｅと電極４５ａ乃至４５ｅとが半田付けを用いることなく容易に接続でき、その接続した状態が確保される。
【００２０】
図９は、第２実施例である。第２実施例では、ねじ止め部６３が本体５１の底壁５３から横方向に突出されて底壁５３と同じ高さに設けられる。遊技板１のスペーサ手段１１を設置する位置には、収容溝２０７が形成される。収容溝２０７の深さは、スペーサ手段１１の高さ寸法に対応した深さを有する。収容溝２０７の横幅は、スペーサ手段１１がケント紙５を収容溝２０７の底面２０９に押し付けた場合にもケント紙５が破れない範囲の幅を有することが望ましい。よって、エレクトロルミネッセンスプレート７がスペーサ１３によって上方に持ち上げられない。
【発明の効果】
【００２１】
【発明の効果】
本発明によれば、フラットケーブルが遊技板の周縁の外側から空間に挿入されることによって、フラットケーブルの電極とエレクトロルミネッセンスプレートの電極とが互いに上下方向で重なり合って接触した状態において、接続固定手段がエレクトロルミネッセンスプレートの上から遊技板に釘で固定されてフラットケーブルの電極とエレクトロルミネッセンスプレートの電極との接続を固定するので、エレクトロルミネッセンスの電極とフラットケーブルの電極とが半田付けを用いることなく容易に接続できる。接続固定手段が弾性部材から成る押圧部を備えれば、押圧部がエレクトロルミネッセンスプレートを上からフラットケーブルの側に弾性的に押し付ければ、フラットケーブルの電極とエレクトロルミネッセンスプレートの電極との接続を確保することができる。接続固定手段がケーブル保護部を備えれば、ケーブル保護部が遊技板の裏側から空間に向けて延びるフラットケーブルを被覆して保護することができる。遊技板の周縁の一部の凹状のスペーサと対応する部分に切欠部が設けられれば、遊技板の裏側から空間に向けて延びるフラットケーブルが遊技板よりも外側に突出しないようにフラットケーブルを保護することができる。
【図面の簡単な説明】
【図１】第１実施例の配線接続装置の分解斜視図。
【図２】第１実施例のスペーサ手段の分解斜視図。
【図３】図１のＡ−Ａ線断面図。
【図４】図１のＢ−Ｂ線断面図。
【図５】第１実施例の電極を固定した接続固定装置の断面図。
【図６】第１実施例のパチンコ機の正面図。
【図７】第１実施例のエレクトロルミネッセンスプレートの断面図。
【図８】第１実施例のエレクトロルミネッセンスプレートと電気ユニットとの接続を示すブロック図。
【図９】第２実施例の配線接続装置の断面図。  
【符号の説明】
１  遊技板
３  切欠部
５  ケント紙
７  エレクトロルミネッセンスプレート
１１  スペーサ手段
１３  スペーサ
１５  空間
４１ａ乃至４１ｅ  電極
４３  フラットケーブル
４５ａ乃至４５ｅ  電極
４９  接続固定手段
５１  本体
５７  押圧部
５９  ケーブル保護部
６３  ねじ止め部
６５  補強板
６９  ねじ釘
【図１】
0003920936.tif 000002
【図２】
0003920936.tif 000003
【図３】
0003920936.tif 000004
【図４】
0003920936.tif 000005
【図５】
0003920936.tif 000006
【図６】
0003920936.tif 000007
【図７】
0003920936.tif 000008
【図８】
0003920936.tif 000009
【図９】
0003920936.tif 000010